(57)【要約】【課題】  種々の利用シーンで使用される多機能型の携帯端末のユーザモードを迅速且つ容易に選択設定可能にする携帯端末およびそのユーザモード設定方法を提供する。【解決手段】  携帯端末１０は、キー入力部２１、通話部２２、表示部４１、記憶部４２および制御部３０を備え、制御部３０のユーザモード処理部３３により予め識別可能なタイトルの付された複数のユーザモードを表示部４１に表示して、キー入力部２１のカーソル等を使用して適切なユーザモードを選択可能にする。【選択図】  図１
2008059009.tif 000002
【特許請求の範囲】
【請求項１】
相手通信装置との通話部、種々のキー入力を行うキー入力部、各種情報の表示を行う表示部および全体動作を制御する制御部を含む携帯端末において、
該携帯端末の利用シーン毎に前記携帯端末の複数のユーザモードを変更・設定するユーザモード処理部と、
該ユーザモード処理部で変更設定された前記ユーザモードを前記表示部に表示して確認可能にするユーザモード確認手段と、
前記利用シーンの１つに変更設定されたユーザモードを、前記１つの利用シーンの終了後に自動的に元のユーザモードに復帰させるユーザモード復帰手段と
を備えることを特徴とする携帯端末。
【請求項２】
前記複数のユーザモードは、前記表示手段に表示して、前記携帯端末の利用者が前記キー入力部のキー操作により適宜選択であることを特徴とする請求項１に記載の携帯端末。
【請求項３】
前記複数のユーザモードには、それぞれ前記携帯端末の利用者により識別可能なタイトルが付けられていることを特徴とする請求項１又は２に記載の携帯端末。
【請求項４】
複数の機能を有する携帯端末のユーザモードを前記携帯端末の利用者が変更設定するユーザモード設定方法において、
前記携帯端末の利用シーンに応じて選択可能な複数のユーザモードにタイトルを付して予め登録するステップと、
前記登録された複数のユーザモードから希望するユーザモードを表示して前記携帯端末の利用者が前記携帯端末の利用シーンに応じて適宜に選択可能にするステップと
を備えることを特徴とする携帯端末のユーザモード設定方法。
【請求項５】
前記複数のユーザモードのうち選択されたユーザモードを前記利用シーンの終了時に予め決められたユーザモードに復帰させるステップを更に備えることを特徴とする請求項４に記載の携帯端末のユーザモード設定方法。
【請求項６】
前記複数のユーザモードの複数の機能設定を組み合わせて選択する組合せステップを備えることを特徴とする請求項４又は５に記載の携帯端末のユーザモード設定方法。
【請求項７】
前記複数のユーザモードのうち選択されたユーザモードのみを表示して、該選択された機能設定の一部を変更可能にするステップを備えることを特徴とする請求項４、５又は６に記載の携帯端末のユーザモード設定方法。
【発明の詳細な説明】
【技術分野】
【０００１】
本発明は携帯端末に関し、特に多機能を有し、種々の利用シーンに応じて利用シーン毎に適切なユーザモードを利用者が選択設定可能に構成された携帯端末およびそのユーザモード設定方法に関する。
【背景技術】
【０００２】
携帯電話、ＰＨＳ（Personal Handy-phone System）、ＰＤＡ（Personal
Digital Assistant又はPersonal Data Assistance：個人向け携帯型情報通信端末）等の種々の携帯端末が商品化されビジネス分野のみならずパーソナルユース（私的利用）分野の携帯型情報通信機器として開発され広く普及している。
【０００３】
斯かる携帯端末にあっては、ＩＣ（半導体集積回路）を含む技術開発力の進歩、多岐にわたるユーザ（利用者）の要求、多数のメーカ間の商品開発競争又は他社製品との差別化等の結果、益々高性能化する傾向にある。斯かる高性能化に伴い、操作が煩雑になりがちであり、操作性又は使い勝手の改善がユーザによる携帯端末の選択基準の大きな要素となっている。換言すると、携帯端末が備えている各種機能と共に操作性の改善・改良が携帯端末ビジネスの成否を決定する大きな要素となっている。
【０００４】
このように便利な通信又は情報取得手段として極めて有益な携帯端末には、その高い利便性故に、利用シーンに合った正しい使用方法を逸脱すると他者への迷惑や不便を伴い又は重大な事故の原因ともなり得る。例えば、飛行機に搭乗する場合には、その通信機能を妨害する危険を避けるために電源をＯＦＦとして送受信不可能にすることが要求される。また、車両の運転中には、運転者の注意が散漫になるのを防止するために、運転者が携帯端末を手にとって操作することが禁止され、着信時には発信者に対して運転中である旨のメッセージを送信するのが一般的である。同様に、電車等の交通機関を利用中には、他の乗客への迷惑を考えて、必要に応じて着信に対して伝言を要求する。コンサート会場や会議中にも、携帯端末の使用は制限される。更に、夜間や静かな環境では、昼間の戸外で利用する場合と異なる音量等の設定が必要になる。
【０００５】
以上例示した如く、携帯端末の利用シーンに応じて、携帯端末の備える種々の機能を適宜に変更設定する必要がある。そこで、携帯端末、特にそのモード設定に関連する課題を解決するために種々の技法が開発又は提案されている。携帯電話機でウエブサイト等にアクセスして環境設定に関するデータをダウンロードし、ユーザが希望すればこのデータに一括して環境設定可能な携帯電話機の環境一括設定システムが開示されている（例えば、特許文献１参照。）。複数の機能を同一画面に表示して必要な機能を選択し、複数の機能の設定又は解除を１つの画面で実行可能な携帯電話機が開示されている（例えば、特許文献２参照。）。
【０００６】
また、複数の機能動作モードを一括で設定する一括設定部を有し、各種機能の動作モードが異なるように組み合わされた複数の設定モードから選択して設定することにより、設定時間を短縮する携帯電話機および携帯電話機の機能設定方法が開示されている（例えば、特許文献３参照。）。留守録音機能、電話転送機能、ファクシミリ転送機能等の複数の処理機能を含む不在モードを有する電話機の処理機能の有効／無効の設定を簡単に行い、ユーザの利便性の向上を図れる通信装置が開示されている（例えば、特許文献４参照。）。
【０００７】
【特許文献１】特開２００４−２４８１７０号公報（第７−８頁、第１図）
【特許文献２】特開２００２−１９０８５２号公報（第２−３頁、第２図）
【特許文献３】特開２００３−２５８９７８号公報（第３−４頁、第１図）
【特許文献４】特開２００４−２２１８９２号公報（第３−４頁、第１図）
【発明の開示】
【発明が解決しようとする課題】
【０００８】
昨今の携帯端末は、本来の電話機能の他にＭｕｓｉｃ機能、目覚まし時計、スケジューラ等の種々の便利機能が実装されている。一方、ユーザの携帯利用方法も各自様々であり、利用シ−ン毎に適した機能をその都度設定するシーンが増加している。しかし、上述の特許文献を含む従来の携帯端末装置では、着信音、音量又はＬＥＤの点滅パターン等動作モードの複数の設定を一括設定する改善は図られたが、動作モード以外の機能を一括設定することができず、ユーザは利用シーンに合わせその都度個々に設定することを余儀なくされた。
【０００９】
本発明は、従来技術の上述した課題に鑑みなされたものであり、斯かる課題を解決又は軽減する携帯端末およびそのユーザモード設定方法を提供することを目的とする。
【課題を解決するための手段】
【００１０】
本発明による携帯端末およびそのユーザモード設定方法は、上述した課題を解決するために、次の如き特徴的な構成を採用している。
【００１１】
（１）相手通信装置との通話部、種々のキー入力を行うキー入力部、各種情報の表示を行う表示部および全体動作を制御する制御部を含む携帯端末において、
該携帯端末の利用シーン毎に前記携帯端末の複数のユーザモードを変更・設定するユーザモード処理部と、
該ユーザモード処理部で変更設定された前記ユーザモードを前記表示部に表示して確認可能にするユーザモード確認手段と、
前記利用シーンの１つに変更設定されたユーザモードを、前記１つの利用シーンの終了後に自動的に元のユーザモードに復帰させるユーザモード復帰手段とを備える携帯端末。
（２）前記複数のユーザモードは、前記表示手段に表示して、前記携帯端末の利用者が前記キー入力部のキー操作により適宜選択である上記（１）の携帯端末。
（３）前記複数のユーザモードには、それぞれ前記携帯端末の利用者により識別可能なタイトルが付けられている上記（１）又は（２）の携帯端末。
（４）複数の機能を有する携帯端末のユーザモードを前記携帯端末の利用者が変更設定するユーザモード設定方法において、
前記携帯端末の利用シーンに応じて選択可能な複数のユーザモードにタイトルを付して予め登録するステップと、
前記登録された複数のユーザモードから希望するユーザモードを表示して前記携帯端末の利用者が前記携帯端末の利用シーンに応じて適宜に選択可能にするステップとを備える携帯端末のユーザモード設定方法。
（５）前記複数のユーザモードのうち選択されたユーザモードを前記利用シーンの終了時に予め決められたユーザモードに復帰させるステップを更に備える上記（４）の携帯端末のユーザモード設定方法。
（６）前記複数のユーザモードの複数の機能設定を組み合わせて選択する組合せステップを備える上記（４）又は（５）の携帯端末のユーザモード設定方法。
（７）前記複数のユーザモードのうち選択されたユーザモードのみを表示して、該選択された機能設定の一部を変更可能にするステップを備える上記（４）、（５）又は（６）の携帯端末のユーザモード設定方法。
【発明の効果】
【００１２】
本発明の携帯端末およびそのユーザモード設定方法によると、次の如き実用上の顕著な効果を奏する。携帯端末の高性能化・多機能化は著しく、携帯端末の利用者の利用シーンは急速に増加し、殆ど毎日且つ２４時間連続して所持又は身近に保持して利用することもまれではない。そこで、携帯端末の利用シーンに合わせて携帯端末の有する機能を予め組み合わせて登録しておき、利用シーンに合わせて最適なユーザモードを個別に設定することなく、一括して簡単且つ迅速に変更・設定することが可能である。また、利用シーンの終了後には、設定前の状態へ自動的に復帰させることにより、設定漏れによる重要な通信や情報の取得ミスを効果的になくすと共に状況に対して不適切な携帯端末の使用を確実に阻止し得る。
【発明を実施するための最良の形態】
【００１３】
以下、添付図面を参照して、本発明による携帯端末およびそのユーザモード設定方法の好適実施形態の構成および動作を詳細に説明する。
【００１４】
先ず、図１は、本発明による携帯端末の好適実施形態の構成を示す機能ブロック図である。この携帯端末１０は、キー入力部２１、通話部２２、制御部３０、表示部４１および記憶部４２により構成されている。そして、キー入力部２１、通話部２２、表示部４１および記憶部４２は、制御部３０に接続されている。
【００１５】
ここで、制御部３０は、キーコード認識部３１、音声処理部３４および画面制御部３２を含んでいる。更に、画面制御部３２は、ユーザモード（User Mode）処理部３３を含んでいる。また、記憶部４２は、自動復帰データ処理部４３を含んでいる。
【００１６】
次に、図１の携帯端末１０を構成する各構成要素の主要機能について説明する。キー入力部２１は、図６を参照して後述する如く、携帯端末１０が有する各種の操作キーを介して使用者（ユーザ）からのキー入力を受け付ける。通話部２２は、携帯端末１０の使用者の音声を通話相手に送信するために電気信号に変換するマイクや通話相手からの電気信号を音声出力に変換するスピーカを有する。制御部３０は、例えばＣＰＵ（中央処理装置）を含み、携帯端末１０の全体動作を制御する。
【００１７】
制御部３０のキーコード認識部３１は、上述したキー入力部２１より入力されたキーを判別する。画面制御部３２は、表示部４１に表示される画面（即ち、表示画面）を制御する。画面制御部３２内のユーザモード処理部３３は、本発明の主要部であるユーザモードを処理する。音声処理部３４は、通話部２２から又は通話部２２への音声信号を処理する。表示部４１は、予め登録された操作手順に基づき、各機能画面を表示する、例えばＬＣＤ（液晶表示パネル）等である。この表示部４１の表示画面には、ユーザモード処理部３３より登録されたデータやユーザモード設定中であることを示すカーソル等を表示する。記憶部４２は、表示部４１に表示されるデータ等の各種データやユーザモード設定データを格納する。この記憶部４２の自動復帰データ処理部４３は、１つの利用シーンに対応させて設定された携帯端末１０のユーザモードを予め決められたモード（例えば、設定前のモード）に自動復帰するために保存された設定データを記憶および処理する。
【００１８】
次に、図２は、本発明による携帯端末１０おけるユーザモードを設定する操作画面の具体例を示す。図２において、（Ａ）は「待ち受け画面」であり、（Ｂ）は「ユーザモード設定画面」であり、（Ｃ）は「ユーザモードメニュー設定画面」であり、（Ｄ）は（Ｂ）と同様の「ユーザモード設定画面」であり、（Ｅ）は「ユーザモード有効表示画面」である。
【００１９】
先ず、携帯端末１０の電源をＯＮとすると、図２（Ａ）に示す如く表示部４１には「待ち受け画面」が表示される。この「待ち受け画面」には、中央に壁紙（ユーザにより選択された画像）が表示され、上部の左右位置にそれぞれ電池状態および電波受信状態を示すマークが表示され、下方には時間と日付が表示される。
【００２０】
図２（Ａ）に示す「待ち受け画面」１０においてキー入力部２１の「Menu」キー（後述する図６参照）を長押しすることにより、図２（Ｂ）に示すユーザモードを選択・編集するための「ユーザモード設定画面」に遷移する。このモードの表示画面には、それぞれ使用者が識別可能な任意のタイトル（名称）、例えば「飛行機」、「お休み」等が付されたユーザモードであるＵＭ１（図１の具体例では「飛行機」）、ＵＭ２、ＵＭ３等が表示され、矢印で示すカーソルにより携帯端末１０の利用者（ユーザ）が選択可能である。図２（Ｂ）の具体例では、ユーザモード「飛行機」にカーソルが位置している。このカーソル状態において「Menu」キーを押下してユーザモード「飛行機」が選択された際に、図２（Ｃ）に示す如く一括機能設定するための「ユーザモードメニュー設定画面」へ遷移する。
【００２１】
図２（Ｃ）に示す「ユーザモードメニュー設定画面」は、図２（Ｂ）に示す「ユーザモード設定画面」において「飛行機」を選択することにより設定する機能を登録・編集する画面である。この「ユーザモードメニュー設定画面」は、例えば買いたい端末１０の利用者が飛行機に搭乗する場合に、予め設定された時間で携帯端末１０が自動的に電源ＯＮしたり、クロックアラームが鳴動したりしないようにするために、各種の設定をＯＦＦにしたＭ１１（Auto Power）およびＭ１２（Clock）を登録したものである。即ち、この設定画面において、携帯端末１０の利用者は、各ユーザモードにおける複数の詳細モードＭ１１、Ｍ１２等が設定可能である。
【００２２】
次に、図２（Ｃ）に示す「ユーザモードメニュー設定画面」の設定終了後に、図２（Ｂ）を参照して上述した「ユーザモード設定画面」に戻って「飛行機」にカーソルを合わせた状態で、ＳＫ１「Select」キーを押下する。すると、「飛行機」の前、即ち左側のチェックボックスにチェックマークが入ったユーザモード設定画面へ遷移する（図２（Ｄ）参照）。尚、図２（Ｃ）の「ユーザモードメニュー設定画面」から図２（Ｂ）の「ユーザモード設定画面」に戻るには、ＳＫ２「Back」キーを選択する。
【００２３】
図２（Ｄ）に示す「ユーザモード設定画面」で「●」キーを押下することにより、チェックボックスにチェックマークが入っているユーザモード「飛行機」を有効にし、図２（Ｃ）に示す「ユーザモードメニュー設定画面」で登録したＭ１１（Auto Power）およびＭ１２（Clock）の既存の設定データを保存する。そして、図２（Ｃ）に示す「ユーザモードメニュー設定画面」で設定したデータを一括登録して、図２（Ｅ）に示すユーザモードが有効であることを示す「ユーザモード有効表示画面」へ遷移する。
【００２４】
次に、このモードを解除する場合について説明する。図２（Ｅ）に示す「ユーザモード有効表示画面」で「Menu」キーを長押しして選択する。これにより、図２（Ｄ）に示す「ユーザモード設定画面」へ遷移する。そして、「飛行機」の前のチェックボックスに入ったチェックマークをＳＫ１「Select」キーを押下することにより削除した、図２（Ｂ）に示す「ユーザモード設定画面」へ遷移する。この状態で「●」キーを押下することにより、登録時に保存したユーザモード設定前データに一括設定する。その結果、ユーザモード有効カーソル表示を削除して、図２（Ａ）に示す「待ち受け画面」を表示して動作を終了する。
【００２５】
同様に、ユーザモード「飛行機」以外に、例えば就寝時にＲｉｎｇｅｒ ボリューム「０」、バイブレ−タ「ＯＦＦ」、目覚まし時計「６時」に設定したユーザモード「お休みモード」を図２（Ｂ）に示す「ユーザモード設定画面」の「ＵＭ２」に予め登録しておく。これにより、寝る前にユーザモード「お休みモード」を選択するのみで、就寝時にその都度各設定をすることなく、好みのユーザモード（この場合には「お休みモード」）に設定にすることが可能である。尚、図２に図示する如く、図２（Ｃ）の「ユーザモードメニュー設定画面」および図２（Ｄ）の「ユーザモード設定画面」間でも、それぞれ「Menu」キー又はＳＫ２「Back」キーの操作で、相互に切替選択できる。
【００２６】
次に、図３を参照して説明する。図３は、図２（Ｂ）に示す「ユーザモード設定画面」になるまでの編集画面遷移の具体例を示したものである。先ず、図２（Ａ）に示す「待ち受け画面」にて新規にユーザモードを設定するために、「Menu」キーを長押しすることにより、図３（Ａ）に示す「ユーザモード編集画面」へ遷移する。このモードでは、例えば最大８件のユーザモード（即ち、ＵＭ１〜ＮＭ８）が設定可能である。ＵＭ１〜ＵＭ８は、各ユーザモードのデフォルトタイトルである。ユーザは、８件の中から希望するモードを任意に選択するために「▲（アップ）」キー又は「▼（ダウン）」キーにてカーソルを該当のユーザモードに移して編集可能である。
【００２７】
例えば、先頭のユーザモード「ＵＭ１」にカーソルがある状態でデフォルトタイトル「ＵＭ１」を「飛行機」に設定するために「飛行機」を入力した状態が、図３（Ｂ）に示すタイトル入力のための「ユーザモード編集画面」である。次に、「Menu」キーを操作してユーザモード「飛行機」を選択することにより、図３（Ｃ）に示す一括設定する機能一覧の初期画面である「ユーザモードメニュー設定画面」へ遷移する。この設定画面において、ＳＫ１「Add」キーを選択操作することにより、図３（Ｄ）に示す「ユーザモードメニュー設定画面」へ遷移する。ここで、設定したい機能を選択するために「Menu」キーを押下し、携帯端末１０が有する機能一覧を操作手順で表示した「機能一覧メニュー画面」（図３（Ｅ）参照）により、例えば携帯端末１０の電源ＯＦＦ中に、設定した時間になると電源ＯＮするＭ１１（Auto
Power）にカーソルを移し、ＳＫ１「Select」キーを選択することにより、図３（Ｆ）に示す「ユーザモードメニュー設定画面」となる。
【００２８】
ここで、Ｍ１１（Auto Power）にカーソルがある状態で「●」キーを押下すると、図３（Ｇ）に示す如く現在設定されているＭ１１（Auto
Power）設定画面へ遷移する。このＭ１１（Auto Power）設定画面は、現在の設定が朝７時に自動電源ＯＮすることを示す。そして、飛行機搭乗中に設定時間になっても携帯端末１０の電源が入らないよう機能ＯＦＦに設定したものが、図３（Ｈ）に示すＭ１１（Auto
Power）設定画面である。
【００２９】
図３（Ｈ）に示すＭ１１（Auto Power）設定画面でＳＫ１「Select」キーを押下すると、図３（Ｆ）の画面に戻り、Ｍ１１（Auto
Power）の詳細設定を登録する。ユーザモード「飛行機」が設定された際に、Ｍ１１（Auto Power）の現在設定Ｍ１１（Auto Power）設定画面（図３（Ｇ）参照）に対して、Ｍ１１（Auto
Power）設定画面の設定を有効にすることを示すものである。
【００３０】
ユーザモード「飛行機」の１機能であるＭ１１（Auto Power）の設定が完了すると、図３（Ｆ）に示す「ユーザモードメニュー設定画面」へ戻る。そして、Ｍ１１（Auto
Power）の設定が終了する。図３（Ｆ）に示す「ユーザモードメニュー設定画面」のＭ１１（Auto Power）の前のチェックボックスのチェックマークをＳＫ１「Select」キーを押下して削除することにより、登録しておいても設定を無効にすることもできるので、予め設定する可能性のある機能は事前に登録しておき、利用シーンに応じて有効設定するためにチェックマークを付けるのみで、登録した機能設定を容易に有効にすることができる。
【００３１】
同様に、電源ＯＦＦ中でも設定した時間でアラーム鳴動することもしないようにするために、Ｍ１２（Clock）の機能をＯＦＦに設定登録した画面が図２（Ｃ）に示す「ユーザモードメニュー設定画面」である。
【００３２】
次に、図４を参照して説明する。図４は、図３の機能登録以外の具体例を示す。図４に示す具体例では、図４（Ａ）に示す如く、図３（Ｄ）の「ユーザモードメニュー設定画面」において、「待ち受け画面」からＭ１１（Auto Power）機能画面へ遷移する操作手順Ｍ１１を直接入力することにより、図３（Ｅ）に示す「機能一覧メニュー画面」で選択しなくても機能一覧メニューの中から自動的に該当の機能を抽出し、図４（Ｂ）に示す「ユーザモードメニュー設定画面」のように登録することができる。もし、入力ミス等により該当の操作手順に機能が存在しない場合には、アラ−ム表示を行い、再入力待ちになる。操作手順Ｍ１１は、「待ち受け画面」から、「Menu」キー、「１」および「１」の順のキー操作することを示す。
【００３３】
次に、図５を参照して説明する。図５は、画面毎に図２（Ｂ）に示す「ユーザモード設定画面」で最大８件のユーザモードが全て設定された場合のカーソル表示する具体例である。図５の具体例において、「ユーザモード設定画面」の先頭の「飛行機」は、左上のカーソルａに対応し、「ユーザモード設定画面」の上から順番に画面の左上から下のｂ〜ｄがユーザモード「ＵＭ２」〜「ＵＭ４」に対応し、そしてユーザモード「ＵＭ５」〜「ＵＭ８」が画面の右上から下のｅ〜ｈへ１対１で対応させるようにしてある。従って、ユーザの好みや画面表示状態により表示するカーソルに対応した設定をすることが可能である。
【００３４】
例えば、左側のカーソルａ〜ｄは設定等動作に関係するユーザモード設定にし、右側のカーソルｅ〜ｈは画面表示等動作に関係しない表示のみのユーザモード設定に分けて登録することにより、表示位置で設定の内容を管理・認識することも可能である。
【００３５】
次に、図６は、図１〜図５を参照して上述した機能を有する本発明による携帯端末１０の実施形態の外観を示す正面図である。図６において、表示パネル６１は、図１中の表示部４１の機能を果たす。更に、この携帯端末１０は、種々の操作キー（又はキーボード）６２、マイク６３およびスピーカ６４を備えている。表示パネル６１には、操作キー６２からキー入力することにより、該当の機能画面を表示する。操作キー６２は、この具体例では、上述した「Menu」キー、「ＳＫ１」キー、「ＳＫ２」キー、「●」キー等に加えてテンキー（０〜９の数字キー）等を含んでいる。
【００３６】
次に、本発明による携帯端末１０の動作を説明する。図７〜図９は、本発明による携帯端末１０の動作又は本発明による携帯端末のユーザモード設定方法を説明するためのフローチャートを示す。ここで、図７は携帯端末１０のユーザモード設定の全体動作のフローチャート、図８は図７中の解除処理の詳細動作のフローチャートおよび図９は図７中のユーザモード設定処理の詳細動作のフローチャートを示す。
【００３７】
先ず、図７を参照して本発明による携帯端末１０のユーザモード設定に関する全体動作を説明する。各画面処理（ステップＳ１）において、ユーザモード選択か否かを判断する（ステップＳ２）。ユーザモードの選択でなければ（ステップＳ２：Ｎｏ）、上述したステップＳ１へ戻り、ユーザモード設定処理を待つ。ユーザモードの選択であれば（ステップＳ２：Ｙｅｓ）、ユーザモード処理（ステップＳ３）へ遷移する。
【００３８】
このユーザモード処理（ステップＳ３）では、ユーザモード設定済みか否かを判断する（ステップＳ４）。ユーザモード設定済みであれば（ステップＳ４：Ｙｅｓ）、ユーザモードの解除か否かを判断する(ステップＳ５)。ユーザモードの解除であれば（ステップＳ５：Ｙｅｓ）、詳細は図８を参照して後述する解除処理（ステップＳ６）へ遷移する。ユーザモードの解除でない場合（ステップＳ５：Ｎｏ）又は上述したユーザモード設定済みでない場合（ステップＳ４：Ｎｏ）には、（それ以外の）ユーザモード設定であるか否か判断する（ステップＳ７）。ユーザモード設定であれば（ステップＳ７：Ｙｅｓ）、詳細は図９を参照して後述するユーザモード設定処理（ステップＳ８）へ遷移し、ユーザモード設定でなければ（ステップＳ７：Ｎｏ）、ユーザモード処理をキャンセルか否かを判断する（ステップＳ９）。キャンセルでなければ（ステップＳ９：Ｎｏ）、ユーザモード処理（ステップＳ３）を継続し、キャンセルであれば（ステップＳ９：Ｙｅｓ）、ユーザモード処理を終了し、該当画面処理（ステップＳ１）へ戻る。
【００３９】
次に、図８を参照してユーザモード解除処理（図７のステップＳ６）の詳細フローチャートを説明する。ユーザモードが有効であることを示すカーソル表示した「ユーザモード有効表示画面」（図２（Ｅ）参照）において、「Menu」キーを長押しして図２（Ｄ）に示す「ユーザモード設定画面」へ遷移する。この「ユーザモード設定画面」にて、設定を無効にするためにＳＫ１「Select」キーを押すことにより、図２（Ｂ）に示す「ユーザモード設定画面」に遷移し、「●」キーを押下することにより解除処理に入る。
【００４０】
そして、図２（Ｃ）に示す「ユーザモードメニュー設定画面」で設定された先頭機能から順番に保存していた設定前データに戻す「設定前保存データ再設定処理」を行う（ステップＳ１０）。次に、設定された機能設定の有無を判断する（ステップＳ１１）。設定機能があれば（ステップＳ１１：Ｙｅｓ）、同様に該当の設定前データに戻す処理を繰り返し処理する（ステップＳ１０）。全ての機能の復帰処理が終了したら（ステップＳ１１：Ｎｏ）、「ユーザモード有効カーソル表示」を無効にし（ステップ１２）、各画面処理（ステップＳ１）としてユーザモードを解除する。
【００４１】
次に、図９を参照して「ユーザモード設定処理」について説明する。図９は、図２（Ｄ）に示す「ユーザモード設定画面」において、「●」キーを押下することによりユーザモード「飛行機」で設定した「ユーザモードメニュー設定画面」（図２（Ｃ）参照）の機能設定をする「ユーザモード設定処理」(図７のステップＳ８参照)の詳細フローチャートを示す。先ず、図２（Ｃ）に示す「ユーザモードメニュー設定画面」で設定された機能毎に、ユーザモード設定前データに復帰するために既存の設定情報を保存処理する「設定情報保存処理」(ステップＳ２０)へ遷移する。
【００４２】
次に、この「ユーザモードメニュー設定画面」で設定した機能毎に変更データを一括で登録する設定データ一括処理（ステップＳ２１）をして１機能の設定が終了する。次に、設定された機能の有無を判断する（ステップＳ２２）。設定された機能があれば（ステップＳ２２：Ｙｅｓ）、上述したステップＳ２０へ戻って同様の処理を行う。他方、全ての機能設定が終了したら（ステップＳ２２：Ｎｏ）、ユーザモード設定中であることを該当画面位置にカーソル表示するユーザモードカーソル表示処理（ステップＳ２３）へ遷移して、図２（Ｅ）に示す「ユーザモード有効表示画面」のようにカーソルを表示して「ユーザモード設定処理」を終了する。
【００４３】
以上、本発明の好適実施形態の構成および動作を詳述した。しかし、斯かる実施形態は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。例えば、階層化され且つ階層が深く操作手順が多い機能設定に対し、設定内容により複数のユーザモードに分類して設定し、設定内容が判るタイトルにしておくことにより、階層が深い操作をすることなく、該当のユーザモードを選択するのみで設定することも可能である。
【００４４】
本発明の活用例として、携帯電話機、ＰＨＳ（Personal
Handy-phone System）、ＰＤＡ（個人向け携帯型情報通信機器）等の携帯端末がある。斯かる装置において、突発的な利用シーンに備えて、予め使用したい複数の機能を組み合わせたユーザモードを使用する画面毎に準備しておくことにより、できるだけ利用シーンに最適な機能設定又は設定解除をして携帯端末を使用することが可能となり、その利便性が改善できる。
【図面の簡単な説明】
【００４５】
【図１】本発明による携帯端末の好適実施形態の構成を示す機能ブロック図である。
【図２】図１に示す携帯端末の表示画面の具体例を示す図である。
【図３】図１に示す携帯端末の編集画面の遷移状態を説明する図である。
【図４】図３の機能登録以外の動作を説明する図である。
【図５】図１に示す携帯端末のユーザモード設定のカーソル表示例を示す図である。
【図６】図１に示す携帯端末の外観を示す正面図である。
【図７】図１に示す携帯端末におけるユーザモード設定動作を説明するフローチャートである。
【図８】図７中のユーザモード設定解除処理（ステップＳ６）の詳細を説明するフローチャートである。
【図９】図７中のユーザモード設定処理（ステップＳ８）の詳細を説明するフローチャートである。
【符号の説明】
【００４６】
１０  携帯端末
２１  キー入力部
２２  通話部
３０  制御部
３１  キーコード認識部
３２  画面制御部
３３  ユーザモード処理部
３４  音声処理部
４１  表示部
４２  記憶部
４３  自動復帰データ処理部
【図１】
2008059009.tif 000003
【図２】
2008059009.tif 000004
【図３】
2008059009.tif 000005
【図４】
2008059009.tif 000006
【図５】
2008059009.tif 000007
【図６】
2008059009.tif 000008
【図７】
2008059009.tif 000009
【図８】
2008059009.tif 000010
【図９】
2008059009.tif 000011